(57)【要約】【課題】    大型化することなく、シャッターを構成する部材に作用する力関係の調整を簡便に行うことができる殺虫装置の提供。【解決手段】ソレノイドアクチュエータ３２の駆動力とコイルばね３４のばね力との関係を調整するにあたり、コイルばね３４のケーシング１０への取付位置を調整可能として、コイルばね３４のばね力を可変としたので、プレート３１を移動させる際の力関係を調整するのに手間が掛からないうえ、コイルばね３４のばね力の大きさに関わらず、この調整を簡便に実施できる。すなわち、小型のソレノイドアクチュエータ３２およびコイルばね３４が使用され、力関係上、プレート３１と底板１０２との摩擦力の比重が大きくても調整が困難とならないから、このような小型のソレノイドアクチュエータ３２およびコイルばね３４を使用することで殺虫装置１の小型化を促進できる。【選択図】図３
2006345739.tif 000002
【特許請求の範囲】
【請求項１】
殺虫剤がケーシングの内部に収納され、前記ケーシングに形成された通気口から前記殺虫剤の成分を拡散させる殺虫装置であって、
前記通気口を開閉するシャッターを備え、
前記シャッターは、前記ケーシングに対して進退自在に設けられる遮蔽部材と、前記遮蔽部材を所定方向に付勢するばねと、通電時に前記遮蔽部材を前記ばねの付勢力に抗して移動させる電磁アクチュエータとを有し、
前記ばねは、一端が前記遮蔽部材に取り付けられるとともに他端が前記ケーシングに取り付けられ、
前記電磁アクチュエータは、直流で駆動し、印加電圧の大きさの調整によって駆動力の大きさが可変とされる
ことを特徴とする殺虫装置。
【請求項２】
請求項１に記載の殺虫装置において、
前記ケーシングは、前記通気口が形成された本体と、この本体に固定されて前記遮蔽部材を進退自在に案内する一対のレールとを有し、
前記各レールにはそれぞれ、前記ばねの端部が取り付けられ、
前記レールの前記本体への取り付け位置が調整されることにより、前記ばねの取り付け位置が調整される
ことを特徴とする殺虫装置。
【請求項３】
請求項１または請求項２に記載の殺虫装置において、
外部交流電源に接続される電装品を備え、
前記電装品には、前記電磁アクチュエータへの印加電圧の大きさを調整するコントローラーが実装され、
前記コントローラーは、整流回路、充電回路、および電圧が調整可能な定電圧回路を有する
ことを特徴とする殺虫装置。
【請求項４】
請求項１から請求項３のいずれかに記載の殺虫装置において、
前記ケーシングの内部には、前記殺虫剤の成分を含んだ前記ケーシング内の空気を温めるヒーターと、
前記ヒーターで温められた前記空気の温度を測定する温度センサーと、
前記温度センサーで測定された温度を基に前記ヒーターの出力を調整する温度コントローラーとを備えた
ことを特徴とする殺虫装置。
【発明の詳細な説明】
【技術分野】
【０００１】
本発明は、殺虫剤がケーシングの内部に収納され、前記ケーシングに形成された通気口から前記殺虫剤の成分を拡散させる殺虫装置に関する。
【背景技術】
【０００２】
従来、飲食店の厨房などに生息する不衛生な害虫を駆除する手段として、ホウ酸団子や害虫駆除用ガスによる薫蒸などが用いられるが、このような手段では、害虫の駆除が十分に行えないだけでなく、特に、害虫駆除用ガスでの薫蒸では手間がかかるという不都合があった。
そこで、害虫の駆除効果が高く、簡便な駆除手段として、ジクロルボス（ＤＤＶＰ）等の殺虫剤を樹脂及びプラスチック発泡体等のプレートに含浸させた蒸散性殺虫剤を装填したカートリッジとファンとを、吸気口および排気口が形成されたケーシングに収納し、ファンにより吸気した外部空気を殺虫剤カートリッジに吹き当て、気化した殺虫成分を排気口から拡散させる殺虫装置が知られている（例えば、特許文献１）。
このようなタイプの殺虫装置では、日々の使用にあたり、働く人のいない夜間に作動させ、働く人が出勤する所定時間前にファンの稼働を停止させる設定となっている。そのため、吸気口および排気口には、シャッターが設けられ、このシャッターによって吸気口および排気口を閉塞することにより、ケーシング内に充満する気化した殺虫剤が対流によってケーシングの外部に漏れることを防止していた。
【０００３】
ところで、シャッターは、特許文献１にも示されるように、複数のスリットが並んで形成された通気口に重ねられる遮蔽部材と、この遮蔽部材をケーシングに対してスライドさせる交流方式の電磁アクチュエータ（ソレノイドアクチュエータ）などの移動手段とを備えており、遮蔽部材は所定方向に付勢され、この付勢力に抗して電磁アクチュエータの可動部分であるプランジャーが移動し、電磁アクチュエータの非通電時には遮蔽部材が所定位置に戻るようになっている。すなわち、電磁アクチュエータによる遮蔽部材の移動により、遮蔽部材に所定間隔で並んだ各スリットがケーシングに形成された各スリットと連通し、あるいは、これらのスリットの位置が互いにずれてケーシングのスリットが遮蔽部材で覆われることにより、シャッターの開閉動作が行われる。
ここで、このようなシャッターの付勢手段は、遮蔽部材とケーシングとの間に取り付けられたコイルばねなどである。そして、電磁アクチュエータの駆動力が遮蔽部材とケーシングとの摩擦力およびばね力の和よりも大きくなるように、電磁アクチュエータの駆動力が調整されていた。
【０００４】
【特許文献１】特開平１０−２７６６４９号公報（図４、図５のばね２４、図７のコイルばね３５）
【発明の開示】
【発明が解決しようとする課題】
【０００５】
前述のような殺虫装置は、厨房などの床や台に設置される関係上、幅や奥行き、高さなどの寸法に制約があり、小型化の要望が強かった。殺虫装置の小型化を図るには、シャッターを構成する遮蔽部材を移動させる電磁アクチュエータを交流方式のものから、より小型の直流方式のものに変更することが考えられるが、直流方式の電磁アクチュエータは、交流方式のものと比べて駆動力が小さいため、ばね力の小さいばねを使用する必要がある。このようにばね力が小さい場合、電磁アクチュエータの駆動力と、遮蔽部材およびケーシング間の摩擦力並びにばね力との調整を図るうえで、遮蔽部材およびケーシング間の摩擦力の比重が大きくなり、電磁アクチュエータの駆動力とばね力との調整が非常に難しくなるという問題がある。
【０００６】
このような問題から、本発明の目的は、大型化することなく、シャッターを構成する移動手段の駆動力とばねのばね力との関係を調整する作業を簡便に行うことができる殺虫装置を提供することにある。
【課題を解決するための手段】
【０００７】
本発明は、殺虫剤がケーシングの内部に収納され、前記ケーシングに形成された通気口から前記殺虫剤の成分を拡散させる殺虫装置であって、前記通気口を開閉するシャッターを備え、前記シャッターは、前記ケーシングに対して進退自在に設けられる遮蔽部材と、前記遮蔽部材を所定方向に付勢するばねと、通電時に前記遮蔽部材を前記ばねの付勢力に抗して移動させる電磁アクチュエータとを有し、前記ばねは、一端が前記遮蔽部材に取り付けられるとともに他端が前記ケーシングに取り付けられ、前記電磁アクチュエータは、直流で駆動し、印加電圧の大きさの調整によって駆動力の大きさが可変とされることを特徴とする。
【０００８】
この発明によれば、シャッターを構成する遮蔽部材を移動させる電磁アクチュエータへの印加電圧の大きさを調整することで、電磁アクチュエータ（ソレノイドアクチュエータ）の駆動力と、遮蔽部材およびケーシング間の摩擦力並びにばね力の和との大小を調整することができる。したがって、遮蔽部材の移動に関する力の関係を調整するにあたり、形状や材質の異なるばねに取り替えたり、ばね力に応じた適切な移動手段に取り替えたりする手間を不要にできる。
また、直流方式の電磁アクチュエータを採用したから、印加電圧の大きさの調整が容易であり、印加電圧の大きさが正確に調整されるので遮蔽部材の移動に関する力の調整をより簡便で、かつ適切に行うことができる。
さらに、直流方式の電磁アクチュエータは交流方式の電磁アクチュエータよりも構造が簡略であり、小型であるため、装置全体の小型化を図ることができる。
【０００９】
本発明では、前記ケーシングは、前記通気口が形成された本体と、この本体に固定されて前記遮蔽部材を進退自在に案内する一対のレールとを有し、前記各レールにはそれぞれ、前記ばねの端部が取り付けられ、前記レールの前記本体への取り付け位置が調整されることにより、前記ばねの取り付け位置が調整されることが好ましい。
【００１０】
この発明によれば、ばねの端部が取り付けられたレールのケーシング本体への取り付け位置が調整されることにより、通気口が開閉される際のばねの縮み量（引張ばねの場合は引張り量）が変わるので、蓄えられるばね力の大きさを調整することが可能となる。
すなわち、前述した電磁アクチュエータの駆動力の調整に加えて、このようなばね力の調整によっても、電磁アクチュエータの駆動力と、遮蔽部材およびケーシング間の摩擦力並びにばね力の和との大小関係を調整することができる。
また、このようなばね力の調整は、ばね力の大きさに関わらず可能であることから、小型のばねおよび小型の移動手段を使用して装置のより一層の小型化が図られる。
さらに、遮蔽部材を案内する部材であるレールをばねの取付位置の調整にも利用できるから、別途、ばねの取付位置を調整する部材などが必要とならず、そのうえ、ばねの取付位置の調整作業をより簡便に行うことができる。
なお、レールのケーシング本体への取り付け位置を調整する方法としては、本体に長孔を形成し、この長孔を介して本体とレールとをねじ止めすることなどが考えられる。
【００１１】
また、本発明では、外部交流電源に接続される電装品を備え、前記電装品には、前記電磁アクチュエータへの印加電圧の大きさを調整するコントローラーが実装され、前記コントローラーは、整流回路、充電回路、および電圧が調整可能な定電圧回路を有することが好ましい。
この発明によれば、電磁アクチュエータの駆動力を調整する手段としてコントローラーを備えたので、電磁アクチュエータへの印加電圧の調整作業をより簡便に行うことができる。また、コントローラーで充電することによって電磁アクチュエータへの印加電圧を大きくでき、遮蔽部材を確実に移動することが可能となる。
【００１２】
本発明では、前記ケーシングの内部には、前記殺虫剤の成分を含んだ前記ケーシング内の空気を温めるヒーターと、前記ヒーターで温められた前記空気の温度を測定する温度センサーと、前記温度センサーで測定された温度を基に前記ヒーターの出力を調整する温度コントローラーとを備えることが好ましい。
【００１３】
この発明によれば、ヒーターで温めることによって殺虫剤を効率良く蒸散させることが可能となるだけではなく、温度センサーで測定された温度を基に、温度コントローラーでヒーターの出力が調整されることによって、殺虫剤成分の空気中濃度を適正値とすることが可能となる。このため、害虫類を確実に駆除することができる。
【発明を実施するための最良の形態】
【００１４】
〔第１実施形態〕
以下、本発明の第１実施形態を図面に基づいて説明する。
図１は、本実施形態における殺虫装置１の正面図（前面図）であり、図２は、殺虫装置１の側面図である。
殺虫装置１は、飲食店やホテルなどの厨房に設置され、ゴキブリをはじめとする害虫を駆除するために用いられる装置である。この殺虫装置１は、図１，２に示すように、背面が横開きの扉１１とされた、縦長角形のステンレス製のケーシング１０の内部に、電装品１３と、殺虫剤のカートリッジ２１と、このカートリッジ２１のホルダ２２と、ケーシング１０内の前面側、背面側を隔てる仕切り２４に取り付けられたヒーター２５、および温度センサー２６と、カートリッジ２１の上方に配置され、カートリッジ２１に向けて送風するファン２３などを備えている。このような構成により、ケーシング１０に形成された第１吸気口１７、および第２吸気口１８からファン２３によって吸い込んだ外部空気をカートリッジ２１に吹き当て、カートリッジ２１を通過して気化した殺虫成分を含んだ状態で底面側の排気口１９（図３）から排出する構成となっている。
なお、扉１１とケーシング１０の開口との間には、図示しないガスケットが介装されている。
ケーシング１０の底部の四隅には、脚１０１がそれぞれ形成され、これらの脚１０１で、殺虫装置１は厨房の床や台などに立設される。
【００１５】
電装品１３は、図２に示されているように、ケーシング１０の前面１０Ａの裏側に設けられ、かつ、前面１０Ａの表側に設けられた操作パネル１２および電源スイッチ１６に接続されている。
この電装品１３において、操作パネル１２からの入力が処理される。また、電装品１３には、図示しないタイマーが内蔵されており、このタイマーによって殺虫装置１の稼働時間が管理される。さらに、電装品１３には、ヒーター２５および温度センサー２６（図２）に接続される温度コントローラー（不図示）が内蔵される。
なお、電装品１３は、カートリッジ２１で気化した殺虫成分による腐食を防止するため、腐食防止用フィルム（図示せず）で覆われている。
【００１６】
ケーシング１０の前面１０Ａの略中央には、操作パネル１２が配置されるとともに、この操作パネル１２の上側には、ヒューズ１４、および運転状況を示す３つのインジケータランプ１５が配置されている。また、操作パネル１２の下側には、押し釦スイッチ１１１と、電源スイッチ１６とが配置され、前面１０Ａの下部には、第１吸気口１７を構成する多数の小孔１７１が形成されている。
一方、ケーシング１０の側面上部には、図２に示すように、第２吸気口１８が上下に延びる複数のスリット１８１として形成されている。また、ケーシング１０の背面側には、ホルダ２２をケーシング１０にロックするホルダキー２２１が設けられている。
【００１７】
カートリッジ２１は、それぞれ蒸散性殺虫剤溶液を含浸させた複数枚のプレートを有する構造であり、これらのプレートはケーシング１０の内部空間で空気と触れて気化できるようにするため互いに所定間隔離れて配置されている。
ここで、蒸散性殺虫剤は、蒸散性であれば特に制限はなく、ジクロルボス（ＤＤＶＰ）、その誘導体、同族体、ピレスロイド系薬剤等が挙げられるが、特に、昆虫の嫌わない匂いを有するものが好ましい。
蒸散性殺虫剤溶液を含浸させるプレートは、樹脂及びウレタンフォーム等の連続気泡性プラスチック発泡体、不織布、繊維集合体、スポンジ等の多孔性の素材であって、殺虫剤の溶媒に侵されないものは全て使用できる。
【００１８】
ヒーター２５は、本実施形態では、スペースヒーターが採用され、電装品１３における温度コントローラーに接続されている。
温度センサー２６は、底板１０２近傍に配置され、排気口１９から拡散する空気温度を測定するものであり、電装品１３における温度コントローラーに接続されている。なお、温度センサー２６として、白金測温抵抗体や熱電対、あるいはサーミスタのような感温素子を備える任意のものを採用できる。
【００１９】
ところで、殺虫装置１の稼動時には、ファン２３の送風によってカートリッジ２１内の殺虫剤に含まれる成分を排気口１９から拡散させるが、稼動終了時には、ケーシング１０内に充満する気化した殺虫成分がケーシング１０の外部に漏れることを防止するために、排気口１９にシャッター３０が設けられている。
なお、第１吸気口１７および第２吸気口１８にそれぞれシャッターを必要に応じて設けても良く、このシャッターについて簡単に説明すると、小孔１７１やスリット１８１等と同じ構成の孔が形成されケーシング１０の内面に重ねられるプレートと、プレートを所定方向に付勢するばねと、ばねの付勢力に抗する方向にプレートをケーシング１０に対して移動するアクチュエータとを備えた構造である。ただし、排気口１９のシャッター３０が閉じることでケーシング１０内の対流は断たれ、ケーシング１０内部からの殺虫成分の漏出を防止できるので、第１吸気口１７および第２吸気口１８にはシャッターが設けられていなくてもよい。
【００２０】
図３は、図２におけるIII−III線矢視図であり、図３における上、下、左、右はそれぞれ、殺虫装置１の前面１０Ａ側、背面１０Ｂ側、左側面１０Ｃ側、右側面１０Ｄ側となっている。なお、図３等では、仕切り２４および温度センサー２６の図示は省略した。
ケーシング１０の底板１０２の上には、ケーシング１０の側面１０Ｃ，１０Ｄに沿った方向（図３中、矢印Ｐ方向および矢印Ｑ方向）に沿って進退自在に設けられる遮蔽部材としてのプレート３１と、このプレート３１を前面１０Ａ側に（矢印Ｐ方向に）移動させるソレノイドアクチュエータ（電磁アクチュエータ）３２と、プレート３１を進退自在に案内する一対のレール３３と、プレート３１を背面１０Ｂ側に（矢印Ｑ方向に）付勢する一対のコイルばね３４とが配置されている。これらのプレート３１、ソレノイドアクチュエータ３２、レール３３、およびコイルばね３４によって、底板１０２に形成された排気口１９を開閉するシャッター３０が構成されている。
【００２１】
底板１０２には、排気口１９を構成する多数のスリット１９１が３列で背面１０Ｂ側から前面１０Ａ側に向かって、スリットの隙間寸法と略同じ間隔で並んで形成されている。各スリット１９１は、それぞれ長手方向がプレート３１の進退方向と交差するように形成されている。
また、底板１０２には、底板１０２にレール３３を固定するための４つの長孔１０３と、仕切り２４が取り付けられる取付孔１０４と、図示しない電源コードの挿通口１０５とが形成されている。この挿通口１０５から挿通された電源コードを通じて、外部電源から電装品１３（図２）に電力が供給される。なお、電装品１３からは図示しないリード線が延びており、このリード線はソレノイドアクチュエータ３２に接続されている。
【００２２】
プレート３１は、略四角形状のステンレス製の板材であり、排気口１９のスリット１９１と同じ構成のスリット３１１がそれぞれ形成されている。したがって、プレート３１がソレノイドアクチュエータ３２に駆動されて移動し、各スリット３１１の位置が底板１０２に形成された各スリット１９１の位置と互いに合うと、排気口１９は開放され、そして、これらのスリット３１１およびスリット１９１の位置が互いにずれると、排気口１９は閉塞される。
図４に、プレート３１が矢印Ｐ方向に移動して排気口１９が開放された状態を示す。
【００２３】
図５は、プレート３１の斜視図である。このプレート３１の一辺側には、切り起こしによって取付部３１２が形成され、この取付部３１２には、ソレノイドアクチュエータ３２の可動部分が取り付けられるＵ字状の切欠３１２Ａが形成されている。
また、プレート３１の取付部３１２両側の端部はＬ字状にそれぞれ切り欠かれ、これらの切欠部３１３に底板１０２に取り付けられた仕切り２４が当接される（図４参照）。
さらに、プレート３１の取付部３１２が形成された側とは反対側の辺の両端には、切り起こし片３１４がそれぞれ形成され、切り起こし片３１４には、孔開けバーリング加工によるタップ３１４Ａが形成され、このタップ３１４Ａには、図３に示すように、コイルばね３４の一端が嵌め込まれる。
【００２４】
ソレノイドアクチュエータ３２は、コイル（ソレノイド）３２１と、コイル３２１を収容するケース３２２と、コイル３２１に一端側が挿入され、他端側がケース３２２から突出するプランジャー３２３とを備えている。ソレノイドアクチュエータ３２は、通電時にコイル３２１に生じる電磁力でプランジャー３２３がコイル３２１の奥へと引き寄せられる電流励起型のアクチュエータであり、本実施形態では、直流で駆動する小型のタイプが使用されている。つまり、電装品１３において外部電源の交流が整流され、ソレノイドアクチュエータ３２に印加されている。
ソレノイドアクチュエータ３２のケース３２２は、前面１０Ａ側で底板１０２にねじで固定され、プランジャー３２３がプレート３１の切欠３１２Ａに取り付けられる。
なお、ソレノイドアクチュエータ３２が小型のため、ケーシング１０の奥行きがコンパクトになっており、さらに、ソレノイドアクチュエータ３２の上方に電装品１３が配置されているので、ケーシング１０内部のスペース効率も良好である。
【００２５】
コイルばね３４は、プレート３１に立設された切り起こし片３１４とレール３３の端部との間に配置され、ソレノイドアクチュエータ３２の駆動力により、図３〜図６中、プレート３１が矢印Ｐ方向に前進すると、切り起こし片３１４とレール３３との間で圧縮され、この際にばね力が蓄えられる。そして、ソレノイドアクチュエータ３２の非通電時には、ばね力が開放されてコイルばね３４は復元し、これによってプレート３１が図３〜図６中、矢印Ｑ方向へと後退する。
【００２６】
ここで、プレート３１を付勢するコイルばね３４のばね力は、コイルばね３４のばね力に抗してプレート３１を前進させるソレノイドアクチュエータ３２の駆動力よりも小さくなるように決められる。コイルばね３４のばね力がソレノイドアクチュエータ３２の駆動力を上回れば、プレート３１は前進しないからである。
ただし、プレート３１が進退する際には、プレート３１と底板１０２との間に摩擦が生じるから、ソレノイドアクチュエータ３２の駆動力とコイルばね３４のばね力との関係については、次式のように考えることができる。なお、プレート３１と底板１０２との間における摩擦力には、プレート３１の自重や、プレート３１および底板１０２の材質等が関係する。
〔式１〕
（ソレノイドアクチュエータの駆動力）＞
（コイルばねのばね力）＋（プレートおよび底板の間の摩擦力）・・・（１）
【００２７】
本実施形態では、直流方式のソレノイドアクチュエータ３２を採用して小型化が図られ、コイルばね３４も小型のものが使用されているため、前掲の式（１）に示すように、ソレノイドアクチュエータ３２の駆動力と、プレート３１および底板１０２間の摩擦力並びにコイルばね３４のばね力の和との関係、釣り合いにおいて、コイルばね３４のばね力が占める割合よりも、プレート３１および底板１０２間の摩擦力が占める割合の方が大きくなっている。
【００２８】
図６は、レール３３、プレート３１、コイルばね３４、および底板１０２の分解斜視図である。
レール３３は、アルミニウム製の断面略Ｌ字状の角材であり、Ｌ字形状の内側がプレート３１の移動を案内するガイド面３３１となっている。このレール３３においてプレート３１の切り起こし片３１４と対向する端面には、コイルばね３４の端部が挿入される穴３３２が形成されている。また、レール３３の両端部近傍には、プレート３１の板面と交差する方向に沿ってレール３３を貫通するねじ孔３３３がそれぞれ形成されている。
【００２９】
そして、底板１０２に形成された長孔１０３は、レール３３のねじ孔３３３と対応する位置でプレート３１の進退方向に沿って延びており、各長孔１０３にビス１０２Ａをそれぞれ挿通し、ビス１０２Ａをねじ孔３３３に螺合することでレール３３が底板１０２に固定されている。ここで、ビス１０２Ａを挿通する位置を長孔１０３の長手方向に沿って変更することで、レール３３の底板１０２への取付位置を調整することが可能であり、この調整により、コイルばね３４のばね力の大きさを変更することが可能である。
【００３０】
ここで、前述の式（１）のように、（コイルばねのばね力）および（プレートおよび底板の間の摩擦力）の和を（ソレノイドアクチュエータの駆動力）よりも小さくする必要があり、本実施形態では、これらの力関係をコイルばね３４の取り付け位置に応じて調整している。前述のように、コイルばね３４の一端が取り付けられるレール３３の固定位置を調整可能であり、このレール３３の位置調整により、コイルばね３４の底板１０２に対する取付位置が間接的に調整されることになる。すなわち、前述の式（１）を満足するようにレール３３の底板１０２への固定位置を長孔１０３に沿って適宜調整することにより、コイルばね３４の取付位置が変更されてばねの縮み量（撓み量）が変わるので、コイルばね３４の蓄えられるばね力の大きさは可変となる。このように、コイルばね３４のばね力の調整作業は簡便に実施できる。
【００３１】
次に、殺虫装置１の動作について簡単に説明する。
予め、ケーシング１０の内部には、殺虫剤のカートリッジ２１を収納しておく。
この殺虫装置１では、稼動しない時間帯は、排気口１９に設けられたシャッター３０は閉じている。
そして、夜間等の稼動時に電装品１３のタイマーが作動し、ソレノイドアクチュエータ３２に通電されると、シャッター３０が開放される。
以下、このシャッター３０の動作について、図３および図４を参照して説明する。
【００３２】
ソレノイドアクチュエータ３２に通電される前、シャッター３０は図３に示す状態である。この状態でソレノイドアクチュエータ３２に通電されると、プランジャー３２３がコイル３２１の内側へと移動し、プランジャー３２３に取り付けられたプレート３１がコイルばね３４の付勢力に抗して矢印Ｐ方向に引っ張られる。そして、プレート３１が仕切り２４に当接するまで前進すると、底板１０２のスリット１９１の位置とプレート３１のスリット３１１の位置とが合い、図４に示すように、排気口１９が開放される。この際、プレート３１の切欠３１２がレール３３の穴３３２に近接してコイルばね３４が撓み、ばね力が蓄えられる。
このように排気口１９が開放されることにより、ケーシング１０の内外が連通される。
【００３３】
次いで、電装品１３のタイマーによってファン２３、ヒーター２５および温度センサー２６が作動する。
ファン２３が作動することにより、吸気口１７，１８を介して取り込まれた外部空気がカートリッジ２１に吹き当てられ、カートリッジ２１内部を通過した空気は、カートリッジ２１内部の殺虫剤の気化した殺虫成分を含んで排気口１９から排出される。
この際、電装品１３における温度コントローラーにより、温度センサー２６で測定された排気口１９近傍の空気温度と、適正温度とに基づいてヒーター２５出力の大小が調整される。ここで、適正温度とは、殺虫剤成分の空気中濃度が害虫駆除に有効な適正値となりうる一定範囲の温度をいうものとする。
この状態で所定時間、殺虫成分を厨房内に拡散させることにより、害虫が駆除される。
【００３４】
そして、稼働時間の終了時、あるいは停電時には、電装品１３への通電が停止され、ファン２３の作動が中止されるとともに、排気口１９のシャッター３０が閉まる。すなわち、ソレノイドアクチュエータ３２への通電停止に伴い、先ほど蓄えられたコイルばね３４のばね力によってプレート３１が瞬時に後退し、図３に示すように、プレート３１の端面がケーシング１０の背面１０Ｂに当接する。すると、底板１０２の各スリット１９１はプレート３１の各スリット３１１間の板面で閉塞される。これにより、ケーシング１０の内部と外部との空気の流通は完全に遮断され、ケーシング１０内部の気化した殺虫成分が排気口１９から漏出することを防止できる。
【００３５】
以上のような本実施形態によれば、次のような効果がある。
ソレノイドアクチュエータ３２の駆動力とコイルばね３４のばね力との調整をするにあたり、コイルばね３４のケーシング１０（底板１０２）への取付位置を調整可能として、コイルばね３４のばね力を可変としたので、プレート３１を進退させる際の力の関係を調整する際に、形状や材質の異なるばねに取り替えたり、ソレノイドアクチュエータ３２を出力の大きさが異なるものに交換したりする手間が掛からない。
【００３６】
加えて、コイルばね３４の取付位置の調整によれば、コイルばね３４のばね力の大きさに関わらず、コイルばね３４のばね力とソレノイドアクチュエータ３２の駆動力を容易に調整することができる。すなわち、この調整作業において、力の関係上、占める割合が大きいプレート３１、底板１０２間の摩擦力を調整するためにプレート３１や底板１０２を交換したり、調整したりするような困難性がない。また、コイルばね３４のばね力が小さいためにばね力の調整幅が小さくても、調整が困難となることがないから、小型のソレノイドアクチュエータ３２および小型のコイルばね３４を使用することで殺虫装置１の小型化を促進できる。
【００３７】
さらに、底板１０２にレール３３を固定し、このレール３３とプレート３１との間に配置したコイルばね３４によってプレート３１を付勢し、このレール３３の底板１０２に対する固定位置を底板１０２に形成された長孔１０３に沿って変更することを可能としたので、プレート３１を案内する部材であるレール３３をコイルばね３４の取付位置の調整にも利用できることとなり、別途、コイルばね３４の取付位置を調整する部材などを不要にできる。また、コイルばね３４の取付位置の作業をより簡便に行うことができる。
【００３８】
また、ヒーター２５に加えて、温度センサーおよび温度コントローラを備えたことにより、温度センサー２６で測定された温度と、害虫駆除に有効な殺虫成分濃度とすることが可能な適正温度とを基に、ヒーター２５の出力を調整することができる。これにより、いわゆるサーモスタット制御などと比べて、精度の高い温度制御が可能となるので。害虫類をより確実に駆除することができる。
【００３９】
〔第２実施形態〕
次に、本発明の第２実施形態について説明する。
なお、以下の説明では、既に説明した実施形態と同様の構成については、同一符号を付して、説明を省略もしくは簡略化する。
本実施形態では、ソレノイドアクチュエータ３２の駆動力とコイルばね３４のばね力との関係を調整する手段が第１実施形態とは相違する。
図７は、本実施形態における殺虫装置１の底板１０２を上方から見た図である。
本実施形態では、底板１０２に長孔１０３（図３）は形成されておらず、底板１０２に固定されたレール３３の位置を調整することはできない。
【００４０】
本実施形態では、ソレノイドアクチュエータ３２の駆動力とコイルばね３４のばね力との大小を調整するために、電装品１３（図２）において、ソレノイドアクチュエータ３２に印加する電圧の大きさを変えている。
図８は、電装品１３において、ソレノイドアクチュエータ３２のコントローラー４０の構成を示すブロック図である。
コントローラー４０は、外部電源から供給される交流を直流に整流し、充電し、ソレノイドアクチュエータ３２に直流電圧を印加するものであり、商用外部電源（ＡＣ１００Ｖ）を低電圧に変換するトランス４１と、整流充電回路４２と、出力する電圧が調整可能とされた定電圧回路４３と、ファン２３駆動との同期を図る時限回路４４と、ソレノイドアクチュエータ３２を駆動するドライバー４５とを備えて構成されている。
【００４１】
整流充電回路４２は、例えば、トランス４１により電圧変換された交流を整流して直流とする整流器と、この直流を充電し平滑化するコンデンサーと、放熱器が設けられた３端子ＩＣとを備える。
【００４２】
定電圧回路４３は、ツェナーダイオード、トランジスタ、固定抵抗、可変抵抗、保護回路などを有する３端子のレギュレーターと、このレギュレーターに設けられる放熱器と、安定用のコンデンサーとを備えて構成され、整流充電回路４２のコンデンサーに十分に蓄えられた電荷が電圧降伏によってツェナーダイオードを流れ、固定抵抗および可変抵抗の分圧に応じて出力される電圧が調整可能となっている。
【００４３】
時限回路４４は、電装品１３に実装されたタイマーの一部を構成し、電装品１３に実装されたファン２３の駆動についての時限回路と連動して、ソレノイドアクチュエータ３２の動作とファン２３の動作との同期を図るものである。すなわち、タイマーによる殺虫装置１の稼動開始時、時限回路４４が定電圧回路４３からの出力電流を検知すると、ファン２３を駆動する時限回路に駆動信号が送出され、ソレノイドアクチュエータ３２の駆動とファン２３の駆動とを略同時に実行することができる。
【００４４】
ドライバー４５は、ソレノイドアクチュエータ３２に所定電圧を印加する。これにより、ソレノイドアクチュエータ３２には所定の大きさの電圧が印加される。
【００４５】
以上のような構成では、外部商用電源１００Ｖの交流がトランス４１で所定の電圧に変換され、整流充電回路４２で直流化および充電されることにより、定電圧回路４３では、例えば４８Ｖ程度の比較的大きな電圧に維持される。この場合で、例えば、ソレノイドアクチュエータ３２が定格電圧２４Ｖ、抵抗２００Ω、定格電流１２０ｍｍＡであるとき、ドライバー４４によってソレノイドアクチュエータ３２に４８Ｖの電圧を印加すると、約２４０ｍｍＡの電流がソレノイドアクチュエータ３２に流れ、ソレノイドアクチュエータ３２の駆動力がほぼ倍になる。ただし、このような電圧印加は、焼損を回避するために短時間の通電とする。
【００４６】
ここで、定電圧回路４３で電圧を調整することにより、ソレノイドアクチュエータ３２に印加される電圧の大きさが変化し、ソレノイドアクチュエータ３２の駆動力を可変にできることから、定電圧回路４３における電圧は、前述の式（１）を満足するように適宜調整され、これによってソレノイドアクチュエータ３２の駆動力とコイルばね３４のばね力との関係が調整される。その結果、シャッター３０のプレート３１が確実に進退され、排気口１９の開閉が適切に行われる。
【００４７】
本実施形態によれば、次のような効果がある。
すなわち、定電圧回路４３によって電圧を調整するだけで、ソレノイドアクチュエータ３２への印加電圧の大きさに応じたソレノイドアクチュエータ３２の駆動力が、プレート３１および底板１０２間の摩擦力並びにコイルばね３４のばね力の和よりも大きくなるように調整することができる。したがって、プレート３１の進退に関する力の関係を調整するにあたり、コイルばね３４を形状や材質の異なるばねに取り替えたり、ばね力に応じた適切なプレート３１の移動手段を選択したりする手間を不要にできる。
【００４８】
また、直流方式のソレノイドアクチュエータ３２を採用したから、印加電圧の大きさの調整、すなわちソレノイドアクチュエータ３２の駆動力の調整が容易であり、プレート３１の進退に関する力の調整をより簡便で、かつ適切に行うことができる。
さらに、直流方式のソレノイドアクチュエータ３２は交流方式のソレノイドアクチュエータ３２よりも構造が簡略であり、小型であるため、殺虫装置１全体の小型化を図ることができる。
【００４９】
そして、ソレノイドアクチュエータ３２の駆動力を調整する手段として、整流、充電が行われるコントローラー４０を備えたので、ソレノイドアクチュエータ３２への印加電圧の大きさの調整作業をより簡便に行うことができる。また、このコントローラー４０において充電することでソレノイドアクチュエータ３２への印加電圧を大きくでき、大きな駆動力でシャッター３０を確実に動作させることが可能となる。
【００５０】
〔本発明の変形例〕
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００５１】
前記実施形態では、プレート３１および底板１０２はいずれもステンレス製であったが、これに限らず、底板１０２とプレート３１との滑りを滑らかにするため、例えば、底板１０２を樹脂材料により、プレート３１を金属材料などによって形成することもできる。なお、底板１０２が金属製、プレート３１が樹脂製であってもよい。
【００５２】
また、前記各実施形態では、ソレノイドアクチュエータ３２がプレート３１の取付部３１２に直接取り付けられていたが、必要に応じて、電磁アクチュエータと遮蔽部材との間にばね、ロッドなどの電磁アクチュエータの駆動力を遮蔽部材に伝達する部材を設けてもよい。
【００５３】
さらに、吸気口および排気口の位置、数、形状などは前記各実施形態に限らない。例えば、ケーシングの上面および底面に吸気口および排気口がそれぞれ形成されていたり、あるいは、吸気口がケーシングの上面に形成され、排気口がケーシングの前面に形成されていてもよい。要するに、吸気口および排気口は、殺虫剤のカートリッジを挟んで互いに対向し、空気が流通可能な任意の位置に配置することができる。また、ケーシングの通気口の形状は、前記各実施形態における吸気口および排気口を構成する複数のスリット、小孔などの形状、向きなどに限定されず、任意の形状、向きにできる。
【００５４】
前記各実施形態では、ばねの取付位置の調整手段として、底板１０２に長孔１０３が形成されていたが、このような長孔は、底板１０２ではなくレール３３に形成されていてもよい。また、長孔に限らず、ばねの取付位置を調整する方向に沿って複数の孔を並べて形成することも考えられるが、長孔を利用する方が、より簡便でかつ無段階に位置を調整できる。
【００５５】
前記各実施形態では、ソレノイドアクチュエータ３２がケーシング１０の前面１０Ａ側に配置され、ソレノイドアクチュエータ３２の通電時におけるプランジャー３２３の吸引によってプレート３１が前進したが、これに限らず、ソレノイドアクチュエータ３２がケーシング１０の背面１０Ｂ側や側面１０Ｃ，１０Ｄ側に配置されていても構わない。
なお、ばねの取付位置を変更したり、圧縮ばねを引張ばねに置換することにより、プランジャーがコイルの中から外へと押し出されるタイプのソレノイドアクチュエータを採用することもできる。
さらに、遮蔽部材を付勢するばねとしては、前記各実施形態のようなコイルばね３４に限られない。必要に応じて、板ばね、渦巻きばねなどを採用することも検討できる。
【００５６】
また、前記各実施形態では、ヒーター２５がケーシング１０内でケーシング１０の前面に沿って配置されていたが、ヒーターはケーシング内の何処に配置されていてもよい。
例えば、前記各実施形態においては、ファン２３の近傍にヒーターを設けることにより、カートリッジ２１がヒーターで温められた空気に直接的に晒されるため、殺虫剤を一層効果的に蒸散させることができる。
なお、ヒーターの種類や形状等も前記各実施形態には限定されない。
【産業上の利用可能性】
【００５７】
本発明は、ゴキブリをはじめとして、ハエ、蚊等の衛生害虫の駆除に利用でき、その他の生物、例えば、アリ、ダニ、シラミ、ノミ、ネズミなどの駆除にも利用することができる。
【図面の簡単な説明】
【００５８】
【図１】本発明の第１実施形態における殺虫装置の正面図。
【図２】前記実施形態における殺虫装置の側面図。
【図３】前記実施形態における殺虫装置の底面を上方から見た図。
【図４】図３において、シャッターの開放状態の図。
【図５】前記実施形態におけるプレートの斜視図。
【図６】前記実施形態におけるプレート、レール、底板の分解斜視図。
【図７】本発明の第２実施形態における殺虫装置の底面を上方から見た図。
【図８】前記実施形態における電装品のブロック図。
【符号の説明】
【００５９】
１              殺虫装置
１０            ケーシング
１７            第１吸気口（通気口）
１８            第２吸気口（通気口）
１９            排気口（通気口）
２１            カートリッジ（殺虫剤）
２５            ヒーター
２６            温度センサー
３０            シャッター
３１            プレート（遮蔽部材）
３２            ソレノイドアクチュエータ（電磁アクチュエータ）
３３            レール
１０３          長孔（レールのケーシングへの固定手段）
４０            コントローラー
４２            整流充電回路（整流回路および充電回路）
４３            定電圧回路
【図１】
2006345739.tif 000003
【図２】
2006345739.tif 000004
【図３】
2006345739.tif 000005
【図４】
2006345739.tif 000006
【図５】
2006345739.tif 000007
【図６】
2006345739.tif 000008
【図７】
2006345739.tif 000009
【図８】
2006345739.tif 000010